(57)【特許請求の範囲】
【請求項１】
肌に対する当接面と、非当接面と、これら両面間に位置する吸液性コアとを有し、前記非当接面に着衣に対する粘着性止着域が形成されている体液処理用吸収性物品であって、
前記コアの下面側には、少なくとも、高密度の熱可塑性合成樹脂層と、前記樹脂層の下面に接合し、該樹脂層よりも低密度の第１の熱可塑性合成繊維層とが位置し、前記第１の繊維層の下面に塗布された粘着剤によって前記止着域が形成されていることを特徴とする前記吸収性物品。
【請求項２】
前記樹脂層が、熱可塑性合成繊維不織布およびプラスチックフィルムのいずれかである請求項１記載の吸収性物品。
【請求項３】
前記熱可塑性合成繊維不織布が、メルトブローン不織布である請求項２記載の吸収性物品。
【請求項４】
前記コアの下面と前記樹脂層との間に、前記コアよりも低密度の第２の熱可塑性合成繊維層が介在している請求項１〜３のいずれかに記載の吸収性物品。
【請求項５】
前記樹脂層、第１の繊維層および第２の繊維層が通気性である請求項４に記載の吸収性物品。
【請求項６】
前記第１の繊維層および第２の繊維層が、スパンボンド不織布、サーマルボンド不織布、スパンレース不織布およびこれら不織布のうちの少なくとも２つを積層したもののいずれかである請求項４または５に記載の吸収性物品。
【請求項７】
前記第２の繊維層の坪量が３０〜１５０ｇ／ｍ２である請求項４〜６のいずれかに記載の吸収性物品。
【発明の詳細な説明】
【０００１】
【発明の属する技術分野】
この発明は、生理用ナプキンやパンティライナー等の、着衣に対する止着手段を備えた体液処理用吸収性物品に関する。
【０００２】
【従来の技術】
従来、生理用ナプキンやパンティライナー等の吸収性物品における着衣に対する当接面（肌に対する非当接面）をプラスチックフィルムで形成し、そのフィルムの外面に塗布した粘着剤によって前記物品を着衣に対して剥離可能に止着することは周知である。また、そのフィルムを不織布等の通気性素材に替えることによって吸収性物品の通気性を向上させ、物品着用時の蒸れやかぶれを軽減することがある。
【０００３】
【発明が解決しようとする課題】
前記プラスチックフィルムには、ポリエチレン等のオレフィン系フィルムが多用される。この種フィルムに塗布される粘着剤は、粘着力が強くないとフィルムから剥れ易い。一方、粘着力が強いと、例えばパンティーライナーの着用ショーツに対する止着力が強すぎて、使用後に剥しにくいとか、そのようにはならないまでも、着用ショーツに止着後、その止着位置を少しだけ直したいと思うときに、簡単には剥すことができないという難点がある。
【０００４】
また、フィルムを不織布に替えた場合には、その不織布に塗布した粘着剤が時間の経過とともに不織布内部へ移行してしまい、パンティーライナーを着用ショーツに止着することができなくなるという場合もある。
【０００５】
この発明は、粘着剤に関するこのような問題を解消することができる体液処理用吸収性物品の提供を課題にしている。
【０００６】
【課題を解決するための手段】
前記課題を解決するために、この発明が前提とするのは、肌に対する当接面と、非当接面と、これら両面間に位置する吸液性コアとを有し、前記非当接面に着衣に対する粘着性止着域が形成されている体液処理用吸収性物品である。
【０００７】
かかる前提において、この発明が特徴とするところは、前記コアの下面側に、少なくとも、高密度の熱可塑性合成樹脂層と、前記樹脂層の下面に接合し、該樹脂層よりも低密度の第１の熱可塑性合成繊維層とが位置し、前記第１の繊維層の下面に塗布された粘着剤によって前記止着域が形成されていること、にある。
【０００８】
この発明の好ましい実施態様の一つにおいて、前記樹脂層が、熱可塑性合成繊維不織布およびプラスチックフィルムのいずれかである。
【０００９】
実施態様の他の一つにおいて、前記熱可塑性合成繊維不織布が、メルトブローン不織布である。
【００１０】
実施態様の他の一つにおいて、前記コアの下面と前記樹脂層との間に、前記コアよりも低密度の第２の熱可塑性合成繊維層が介在している。
【００１１】
実施態様の他の一つにおいて、前記樹脂層、第１の繊維層および第２の繊維層が通気性である。
【００１２】
実施態様の他の一つにおいて、前記第１の繊維層および第２の繊維層が、スパンボンド不織布、サーマルボンド不織布、スパンレース不織布およびこれら不織布のうちの少なくとも２つを積層したもののいずれかである。
【００１３】
実施態様のさらに他の一つにおいて、前記第２の繊維層の坪量が３０〜１５０ｇ／ｍ２である。
【００１４】
【発明の実施の形態】
この発明に係る体液処理用吸収性物品としてパンティーライナーを例にとり、添付の図面を参照して、発明の詳細を説明すると、以下のとおりである。
【００１５】
図１に部分破断斜視図で示されたパンティーライナー１は、着用者の肌に対する当接面を形成する表面シート２と、非当接面を形成する裏面シート３と、これら両シート２，３間に位置する吸液性コア４とを有する。表裏面シート２，３とコア４とは同形同大であって、ライナー１の周縁に沿って延びる圧着線６において一体化している。表面シート２とコア４とは、表面シート２の上から施されたエンボス加工によって形成された多数の凹部７においても一体化している。裏面シート３の下面８には、粘着剤９を塗布することによって複数条の粘着域が形成され、粘着剤９が剥離紙１０によって被覆されている（図２を併せて参照）。
【００１６】
図２は、図１のＩＩ−ＩＩ線部分断面図である。表面シート２の下面とコア４の上面とは、体液が表面シート２からコア４へと速やかに移行できるように互いに密着している。裏面シート３は、コア４の下面に当接している上部シート１２と、着用ショーツに当接することとなる下部シート１１と、上下部シート１１，１２間に介在する中間部シート１３とで構成され、これらシート１１，１２，１３は、互いに積層されて圧着線６で接合しているか、または、圧着線６に加えて、線６の内側でもホットメルト接着剤か溶着によって間欠的に接合している。
【００１７】
表面シート２は、レーヨン繊維、パルプ繊維、親水化処理された熱可塑性合成繊維等の親水性繊維を６０重量％以上含む坪量１０〜８０ｇ／ｍ２の不織布からなる透液性シートである。
【００１８】
コア４は、レーヨン繊維、パルプ繊維、親水化処理された熱可塑性合成繊維を１００〜６０重量％、高吸水性ポリマー粒子を０〜４０重量％含み、繊維成分が２０〜２００ｇ／ｍ２の坪量と０．０８ｇ／ｃｍ３以上、より好ましくは０．１５ｇ／ｃｍ３以上の密度とを有する。
【００１９】
裏面シート３の上部シート１２は疎水性または撥水性の熱可塑性合成繊維不織布からなり、１０〜１５０ｇ／ｍ２の坪量と、コア４よりも低い密度、より好ましくは０．０３〜０．１４ｇ／ｃｍ３の密度とを有し通気性である。下部シート１１もまた疎水性の熱可塑性合成繊維不織布からなり、１０〜４０ｇ／ｍ２の坪量と中間部シート１３よりも低い密度、より好ましくは０．０５〜０．１４ｇ／ｃｍ３の密度とを有し、通気性である。これら上部シート１２や下部シート１１として使用できる不織布には、スパンボンド不織布、サーマルボンド不織布、スパンレース不織布およびこれら不織布のうちの少なくとも２つを積層したもの等がある。中間部シート１３は１０〜８０ｇ／ｍ２の坪量を有し、疎水性の熱可塑性合成繊維不織布、より好ましくは１０〜８０ｇ／ｍ２の坪量と０．１４ｇ／ｃｍ３よりも大きな密度とを有する通気性のメルトブローン不織布、または厚み０．０１〜０．０８ｍｍを有する通気性かつ疎水性の熱可塑性合成樹脂フィルムからなる。下部シート１１の外面には、シート１１の通気性を妨げることがないように粘着剤９が間欠的に塗布され、その粘着剤９の一部分が下部シート１１の繊維間隙に滲透し、中間部シート１３の表面にまで達しているが、密度の高い中間部シート１３に阻まれて、それよりも先へは容易に滲透することがない。かような粘着剤９は、下部シート１１の繊維と絡み合った状態にあるから、粘着力が比較的弱くてもライナー１に確実に保持されている。ライナー１を着用ショーツから剥すときに、粘着剤９は、ショーツ側に残るということがない。
【００２０】
このように構成されたパンティーライナー１では、コア４の下面がコア４よりも密度が低く、毛管作用が生じにくい上部シート１２で裏打ちされた状態にあり、コア４に保持されている体液はコア４に大きな体圧が加わらない限り上部シート１２およびその下方へ容易に移行することがない。上部シート１２は、体液が下方へ移行するのを阻止するバリアーとして、また、坪量が３０〜１５０ｇ／ｍ２であるときにはバリアーであると同時にパンティーライナー１にその厚み方向への圧縮に対する高い弾性回復力をもたらすものとして作用するが、裏面シート３の中間部シート１３が熱可塑性合成樹脂フィルムである場合には、このフィルムがバリアーとして機能し得るので、上部シート１２の使用を省くことも可能である。裏面シート３は、上下部シート１１，１２と中間部シート１３とがいずれも通気性のものであるから、体液がコア４から裏面側へ移行するのを阻止しつつ、ライナー１の裏面側を通気性にすることができる。
【００２１】
パンティーライナー１を例にとって説明したこの発明は、ライナー１の他に生理用ナプキンや失禁者用吸尿パッド、使い捨ておむつ等の体液処理用吸収性物品において実施することができる。かかる物品は、裏面シート３のうちの中間部シート１３が熱可塑性合成繊維不織布である場合には、パンティーライナー１のような比較的少量の体液を処理するものに適しており、中間部シート１３が熱可塑性合成樹脂フィルムである場合には、生理用ナプキンや使い捨ておむつのような比較的多量の体液を処理するものに適している。
【００２２】
【発明の効果】
この発明に係る体液処理用吸収性物品では、裏面シートが、少なくとも、相対的に密度の高い熱可塑性合成樹脂層とその下側に位置する相対的に密度の低い熱可塑性合成繊維層とで構成されている。着衣への止着手段となる粘着剤は、その粘着力が弱くても、合成繊維層の繊維と絡み合って物品の裏面に確実に保持されるとともに、樹脂層によって裏面シートへ内部の移行が阻止される。裏面シートがコアの下面と樹脂層との間にコアよりも密度の低い熱可塑性合成繊維層を有する態様では、コアに保持された体液の裏面シート側への移行が阻止される。裏面シートには通気性の素材を使用して、吸収物品の通気性を向上させることができる。
【図面の簡単な説明】
【図１】  吸収性物品（パンティーライナー）の部分破断斜視図。
【図２】  図１のＩＩ−ＩＩ線部分断面図。
【符号の説明】
１    吸収性物品（パンティーライナー）
２    表面シート
３    裏面シート
４    コア
９    粘着剤
１１    第２の繊維層（上部シート）
１２    第１の繊維層（下部シート）
１３    合成樹脂層（中間部シート）
【図１】
0003851737.tif 000002
【図２】
0003851737.tif 000003